(57)【要約】【課題】インターフェースカードを水平に接続することができ、複数のインターフェースカードを相互に重ね、使用空間を大きく節約することができ、且つ、インターフェースカードをしっかりと位置決めし、接続品質を向上する、水平接続式インターフェースカード及びコンピュータマザーボードの提供。【解決手段】本考案の水平接続式インターフェースカード及びコンピュータマザーボードは、マザーボードと少なくとも１つのインターフェースカードを含み、前記マザーボード上に少なくとも２つの第一スロットを設け、前記インターフェースカードの片側に上述の少なくとも２つの前記第一スロットに対応してそれぞれ差し込まれる少なくとも２つのプラグ部を設け、且つ、前記インターフェースカード上のいずれか１つの前記プラグ部を前記インターフェースカードの回路と接続して成る。【選択図】図１
0003126485.tif 000002
【実用新案登録請求の範囲】
【請求項１】
マザーボードと、少なくとも１つのインターフェースカードを含む構成から成るコンピュータにおいて、前記マザーボード上に少なくとも２つの第一スロットを設置し、前記インターフェースカードの片側に少なくとも２つのプラグ部を設け、前記プラグ部は上述の２つの前記第一スロットにそれぞれ対応して接続することができ、且つ、前記インターフェースカード上の１つの前記プラグ部が前記インターフェースカードの回路に接続され、前記マザーボード上に設けた少なくとも２つの前記第一スロットに前記インターフェースカード上の少なくとも２つの前記プラグ部を対応して組み込むことで、前記インターフェースカードを前記マザーボード上にしっかりと固定し、且つ、前記インターフェースカードが前記インターフェースカードに回路が接続された前記プラグ部を介して前記第一スロットに対応して接続され、前記インターフェースカードと前記マザーボード間を電気的に接続し情報交換処理を行う、水平接続式インターフェースカード及びコンピュータマザーボード。     
【請求項２】
前記第一スロットがISA規格であり、前記プラグ部も前記第一スロットに対応しISA規格である、請求項１に記載の水平接続式インターフェースカード及びコンピュータマザーボード。
【請求項３】
前記第一スロットがVESA規格であり、前記プラグ部も前記第一スロットに対応しVESA規格である、請求項１に記載の水平接続式インターフェースカード及びコンピュータマザーボード。   
【請求項４】
前記第一スロットがVGA規格であり、前記プラグ部も前記第一スロットに対応しVGA規格である、請求項１に記載の水平接続式インターフェースカード及びコンピュータマザーボード。
【請求項５】
前記インターフェースカードの下側に少なくとも２つのプラグ部を設けた、請求項１に記載の水平接続式インターフェースカード及びコンピュータマザーボード。      
【請求項６】
前記マザーボード上に４つの前記第一スロットを設け、前記インターフェースカードに４つの前記プラグ部を対応して設けた、請求項１に記載の水平接続式インターフェースカード及びコンピュータマザーボード。
【請求項７】
前記インターフェースカードの少なくとも２つの前記プラグ部の他端に第二スロットを対応してそれぞれ設けた、請求項１に記載の水平接続式インターフェースカード及びコンピュータマザーボード。     
【請求項８】
前記インターフェースカードの上側に前記第二スロットを設けた、請求項７に記載の水平接続式インターフェースカード及びコンピュータマザーボード。
【請求項９】
前記インターフェースカードの各前記プラグ部を別のインターフェースカードの各前記第二スロットにそれぞれ対応して接続し、少なくとも２つの前記インターフェースカードを相互に積み重ねた、請求項７に記載の水平接続式インターフェースカード及びコンピュータマザーボード。  
【請求項１０】
前記プラグ部がISA規格であり、前記第二スロットも前記プラグ部に対応しISA規格である、請求項９に記載の水平接続式インターフェースカード及びコンピュータマザーボード。
【請求項１１】
前記プラグ部がVESA規格であり、前記第二スロットも前記プラグ部に対応しVESA規格である、請求項９に記載の水平接続式インターフェースカード及びコンピュータマザーボード。   
【請求項１２】
前記プラグ部がVGA規格であり、前記第二スロットも前記プラグ部に対応しVGA規格である、請求項９に記載の水平接続式インターフェースカード及びコンピュータマザーボード。
【考案の詳細な説明】
【技術分野】
【０００１】
本考案は水平接続式インターフェースカード及びコンピュータマザーボードに関し、詳細には、インターフェースカードを水平に接続可能にし、空間を節約することができ、且つ、インターフェースカードをしっかりと位置決めし、接触の品質を向上する、水平接続式インターフェースカード及びコンピュータマザーボードに関する。
【背景技術】
【０００２】
コンピュータのマザーボードは、中央処理装置が設置され、すでに基本的なコンピュータの演算機能を備えているものの、中央処理装置の動作には限りがあり、且つ、処理の過程及び結果は周辺設備と交流する必要があるため、コンピュータマザーボード上にはインターフェースカードを設置する必要がある。「インターフェース」とはつまり媒介接続する面であり、インターフェースカードの作用はコンピュータマザーボードそのものが提供しない機能を増加することにあり、インターフェースカードはコンピュータマザーボードと周辺設備(モニタなど)のコミュニケーションの橋渡しをするものであり、使用者のニーズに基づきマザーボードのコネクタを拡張し、インターフェースカードを介して中央処理装置が下すコマンドが正確に接続された周辺設備に伝達したり、或いはインターフェースカードを介して中央処理装置の関連データ情報処理を補助したりすることができる。
【０００３】
インターフェースカードの種類は非常に多く、例えばPCIディスプレイカード、AGPディスプレイカード、IDE拡張カード、SATA拡張カード、SCSIインターフェースカード、USB拡張カード、1394インターフェースカード、サウンドカード及びネットワークカード等、記載しきれないほどである。
【０００４】
インターフェースカードに対応しサポートするため、コンピュータマザーボード上に間隔をあけ、例えばPCIスロット、AGPスロット等の対応する規格のコネクタが設置され、インターフェースカードの片側にコンピュータマザーボード上のコネクタに対応するプラグ部が設けられ、各インターフェースカードがそれぞれ垂直方向に間隔をおいて並べられコンピュータマザーボード上に設置される。
【０００５】
しかしながら、上述の構造をみると、多くの製造と使用上の欠点が隠されていることが分かる。
１．上述の従来の構造は、コンピュータ筐体の空間に限りがあるため、インターフェースカードを垂直方向に間隔をあけてコンピュータマザーボード上に差し込むとき、インターフェースカードの高さが容易に干渉を起こし、空間が限られたコンピュータ筐体にぶつかってしまい、特に、小型化を強調しできる限り使用空間を節約したベアボーンコンピュータ筐体においてはより大きな障害となってしまう。現在ベアボーンコンピュータ筐体に応用されるコンピュータマザーボード上においては、優れた機能を持ちながら、高さが高すぎるインターフェースカードの搭載を少なからず諦めることになってしまい、小型化を強調する過程において、コンピュータマザーボードがインターフェースカードを通してサポートすることができる機能を犠牲にしてしまっている。
２．上述の従来の構造は、インターフェースカードが片側のプラグ部を介してコンピュータマザーボード上のコネクタ上に差し込まれるだけであるため、このような片側のみの接続方式では非常に不安定であり、特に、ディスプレイカード等の比較的大型のインターフェースカードは重心がぐらつき不安定な状況が発生しやすく、インターフェースカードとコンピュータマザーボード間の接触品質に影響し、使用にも大きく影響してしまう。
【０００６】
本考案は上述の従来のコンピュータマザーボードとインターフェースカードの接続方式の実際の使用時における欠点に鑑みて、考案者がその関連産業における長年の経験に基づき研究を重ね、ついに開発された水平接続式インターフェースカード及びコンピュータマザーボードを提供するものである。
【考案の開示】
【考案が解決しようとする課題】
【０００７】
本考案の主な目的は、特に、インターフェースカードを水平に接続することができ、複数のインターフェースカードを相互に重ね、使用空間を大きく節約することができ、且つ、インターフェースカードをしっかりと位置決めし、接続品質を向上する、水平接続式インターフェースカード及びコンピュータマザーボードを提供することにある。  
【課題を解決するための手段】
【０００８】
上述の目的を達するため、本考案の水平接続式インターフェースカード及びコンピュータマザーボードは、マザーボードと少なくとも１つのインターフェースカードを含み、前記マザーボード上に少なくとも２つの第一スロットを設け、前記インターフェースカードの片側に上述の少なくとも２つの前記第一スロットに対応してそれぞれ差し込まれる少なくとも２つのプラグ部を設け、且つ、前記インターフェースカード上のいずれか１つの前記プラグ部を前記インターフェースカードの回路と接続して成る。
【０００９】
上述の構造により、前記マザーボード上に設けた少なくとも２つの第一スロットに前記インターフェースカード上の少なくとも２つの前記プラグ部が対応して差し込まれるため、前記インターフェースカードをしっかりと前記マザーボード上に位置決めすることができ、且つ、前記インターフェースカードが前記インターフェースカードの回路に接続された前記プラグ部を介して前記第一スロットに接続され、前記インターフェースカードと前記マザーボードが電気的接続を形成し、データの交換処理を行うことができる。
【考案の効果】
【００１０】
下で述べる本考案の実施例から分かるように、本考案には次のような利点がある。
１．本考案の構造によれば、特に例えばベアボーンのコンピュータ筐体など小型のコンピュータ筐体に適用することができ、ベアボーンのコンピュータ筐体内部の空間は限られているため、本考案のインターフェースカード２を水平方向に間隔をあけてコンピュータマザーボード１上に差し込む方法で、インターフェースカード２とマザーボード１を平行にし、インターフェースカード２の高さが空間に限りのあるコンピュータ筐体との間で干渉を起こすことを回避し、使用空間を節約するという目的を達することができ、コンピュータ筐体のより小型化した設計に有利であると同時に、インターフェースカード２の高さとサイズを縮減する必要なく、インターフェースカード２が備えているべき機能を維持し、マザーボード１により大きなサポート機能を持たせることができる。
２．本考案の構造によれば、インターフェースカード２下側に複数のプラグ部２１を設けてコンピュータマザーボード１上の第一スロット１１上に差し込み、単面を複数の点で固定することで、インターフェースカード２を差し込んだときの安定性を向上し、ディスプレイカード等の比較的大型のインターフェースカード２の重心を安定させた状態で固定しやすくすることができ、インターフェースカード２とコンピュータマザーボード１間の接触の品質を向上し、接触不良の発生を減らすことができる。
３．本考案の構造によれば、複数のインターフェースカード２をインターフェースカード２に設けたプラグ部２１及び第二スロット２２を相互に接続し、相互に水平に積み重ねて設置することができ、且つ、各インターフェースカード２をコンピュータマザーボード１と独立した状態で通信させることができる。
【考案を実施するための最良の形態】
【００１１】
以下、本考案の構造、使用及びその特徴についてより一層の明確且つ詳細にわたる認識と理解を促すため、最良の実施例と図面に基づき詳細に説明する。
【実施例１】
【００１２】
図１、図２、図３に示すように、本考案はマザーボード１及びインターフェースカード２を含んで成り、そのうち、前記マザーボード１上に４つの第一スロット１１を並べて設ける。
【００１３】
前記インターフェースカード２の下側に４つのプラグ部２１を設け、上述の４つの前記第一スロット１１にそれぞれ対応して差し込むことができ、且つ、前記インターフェースカード２上の特定の１つの前記プラグ部２１を前記インターフェースカード２の回路と相互に接続させる。
【００１４】
上述の各前記第一スロット１１は、ISA規格、VESA規格或いはVGA規格とすることができ、各前記プラグ部２１も各前記第一スロット１１に対応させてISA規格、VESA規格或いはVGA規格とすることができる。
【００１５】
上述の構造を実施するときは、図１、図２及び図３に示すように、前記マザーボード１上に設けた４つの第一スロット１１に前記インターフェースカード２下側に設けた４つの前記プラグ部２１を対応させて差込み、前記インターフェースカード２を水平に前記マザーボード１上にしっかりと位置決めし、且つ、前記インターフェースカード２は前記インターフェースカード２の回路に接続された前記プラグ部２１を介して前記第一スロット１１と電気的接続を形成し、前記インターフェースカード２と前記マザーボード１間が電気的に接続されてインターフェースカード２の補助を介して前記マザーボード１に設置された中央処理装置３に関連データの演算処理を行わせたり、中央処理装置３が下すコマンドを前記マザーボード１、前記第一スロット１１、前記インターフェースカード２と回路接続されたプラグ部２１、前記インターフェースカード２の順序で正確に拡張接続された周辺設備に伝達することができ、これにより周辺設備を介して情報表示交換処理を行なったり、使用者が解読できる方式で使用者に表示し知らせたりすることができる。
【実施例２】
【００１６】
本考案の実施例２を図４、図５、図６に示す。上述の構造において、前記マザーボード１上に相互に積み重ねた４つのインターフェースカード２を設置する。そのうち、前記各インターフェースカード２の４つの前記プラグ部２１の他端にそれぞれ第二スロット２２が対応して設置され、且つ、前記４つの第二スロット２２は前記インターフェースカード２の上側に配置され、前記各インターフェースカード２の各前記プラグ部２１は別のインターフェースカード２の各前記第二スロット２２にそれぞれ対応して差し込むことができ、前記４つのインターフェースカード２を相互に水平に積み重ね、且つ、最も下端のインターフェースカード２に配置された４つの前記プラグ部２１をマザーボード１上に設置した前記４つの第一スロット１１にそれぞれ対応させて差し込む。特に、前記４つのインターフェースカード２上にそれぞれ１つの前記プラグ部２１を前記インターフェースカード２の回路に接続させるよう定め、且つ、前記４つのインターフェースカード２に定めた前記プラグ部２１をそれぞれ異なる直列経路上に位置させ、前記４つインターフェースカード２をそれぞれコンピュータマザーボード１と独立した状態で通信させる。且つ、各前記プラグ部２１は各前記第一スロット１１に対応させてISA規格、VESA規格或いはVGA規格とすることができる。
【００１７】
上述の構造を実施するときは、図４、図５及び図６に示すように、前記マザーボード１の４つの第一スロット１１にインターフェースカード２下側の４つの前記プラグ部２１を対応させ差し込んで固定し、前記インターフェースカード２を水平に前記マザーボード１上に設置してしっかりと位置決めし、且つ、前記インターフェースカード２上側に設置した４つの第二スロット２２を別のインターフェースカード２下側の４つの前記プラグ部２１に対応させる方式で前記４つのインターフェースカード２を相互に積み重ねることで、前記４つのインターフェースカード２がコンピュータマザーボード１と独立した状態で通信することができる。各前記インターフェースカード２を前記マザーボード１との間で独立した状態で電気的に接続を形成し、マザーボード１を介して各前記インターフェースカード２を制御し、前記マザーボード１に設置された中央処理装置３に関連データの演算処理の補助を行わせたり、前記マザーボード１を介して各インターフェースカード２との間で第一スロット１１及び少なくとも１つのプラグ部２１を通じ、さらには少なくとも１つの第二スロット２２に接続して成る直列経路を通じて、中央処理装置３が下すコマンドを正確なインターフェースカード２に伝達し、前記インターフェースカード２に接続された周辺設備へと正確に伝達することができ、これにより周辺設備を介して情報表示交換処理を行なったり、使用者が解読できる方式で使用者に表示し知らせたりすることができる。
【００１８】
以上で述べた説明は、本考案の最良の実施例に基づくものであり、本考案の実施の範囲を制限するものではなく、本考案の実用新案登録請求の範囲及び明細書の内容に基づく簡単な同等効果を備えた変化や修飾はすべて本考案の範囲内に含まれるものとみなす。
【００１９】
上述のように、本考案の技術構造について詳細に説明してきたが、本考案の構造は確実に複数のインターフェースカード２をしっかりと重ねて固定し、使用空間を節約できると同時に接触品質を向上するという目的を達することができ、且つ、これまで業界の関連製品において公開されたことがなく、実用新案登録の要件を満たしているため、特許法の規定に基づき、ここに実用新案登録を出願するものである。
【図面の簡単な説明】
【００２０】
【図１】本考案の立体外観図である。
【図２】本考案の立体分解図である。
【図３】本考案のインターフェースカードを別の角度から見た立体分解図である。
【図４】本考案の実施例２の立体外観図である。
【図５】本考案の実施例２の立体分解図である。
【図６】本考案の実施例２のインターフェースカードを別の角度から見た立体分解図である。
【符号の説明】
【００２１】
１        マザーボード
１１      第一スロット
２        インターフェースカード
２１      プラグ部
２２      第二スロット
３        中央処理装置
【図１】
0003126485.tif 000003
【図２】
0003126485.tif 000004
【図３】
0003126485.tif 000005
【図４】
0003126485.tif 000006
【図５】
0003126485.tif 000007
【図６】
0003126485.tif 000008